(57)【特許請求の範囲】
【請求項１】
トーチ本体と該トーチ本体に接続して成るトーチ作動スイッチから成る溶接トーチであって、トーチ本体の近傍に軸受け部材に軸支して装備され回動自在な複数の関節部を備えて成る連結部材、該連結部材の先端に関節部を介して支持される防護具及び上記軸受け部材において該連結部材と直交形状に突出して設備される防護具の操作器具から構成され、各関節部を調整して被遮蔽位置から随意の形態に外して置いた防護具をトーチ作動スイッチの操作に連動させて該操作器具と該連結部材とで溶接作業時の被遮蔽位置に移動させることを特徴とする防護具付溶接トーチ。
【請求項２】
トーチ本体に取付けてトーチ作動スイッチと連動させて成る取付用防護具であって、トーチ本体の近傍に軸受け部材に軸支して装備され回動自在な複数の関節部を備えて成る連結部材、該連結部材の先端に関節部を介して支持される防護具及び上記軸受け部材において該連結部材と直交形状に突出して設備される操作器具から構成し、各関節部を調整して被遮蔽位置から随意の形態で外して置いた防護具をトーチ作動スイッチの操作に連動させて該操作器具と該連結部材とで溶接作業時の被遮蔽位置に移動させる請求項１に記載の防護具付溶接トーチに装備する取付用防護具。
【発明の詳細な説明】
【０００１】
【発明の属する技術分野】
本発明は、防護具付溶接トーチに関し、特に、トーチ本体に溶接を開始する際にトーチ先端を遮蔽する防護具を装備して溶接作業の安全性を確保した防護具付溶接トーチに関する。
【０００２】
【従来の技術】
溶接に際しては、従来からアーク等の閃光や溶融片の飛散から目や身体を守るために遮光ガラス等の保護具を使用している。これらの保護具は、一般的に面状に構成されており、溶接作業を開始する時に、これら面状の保護具を片手で支持するか、頭部に装備しながら保護具を顔面に開閉させることで、身体の危険性を回避している。
【０００３】
このために、溶接時の作業員は、片手を拘束されたり頭部に荷重を受けて作業性を狭くすることになり、溶接精度や作業効率の確保において不必要な負担を負わされていた。
【０００４】
しかるに、昨今の溶接業界においては、大幅な作業コストの低減と溶接精度の向上がこれまで以上に要求されており、上記のような作業性の面においても、きめの細かい改善が求められているのが実態である。
【０００５】
【発明が解決しようとする課題】
本発明は、上記の実態に鑑みて提案するものであり、保護具の操作に片手の追随を無用にすることで、溶接時における安全性と精度を確保しながら大幅な作業コストの低減と溶接精度の向上及び作業効率の向上を図ることができる防護具付溶接トーチ及び取付用防護具を提供している。
【０００６】
【課題を解決するための手段】
本発明による防護具付溶接トーチは、トーチ本体とトーチ本体に接続して成るトーチ作動スイッチから成る溶接トーチであって、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される防護具の操作器具から構成され、各関節部を調整して被遮蔽位置から随意の形態に外して置いた防護具をトーチ作動スイッチの操作に連動させて操作器具と連結部材とで溶接作業時の被遮蔽位置に移動させることを特徴としており、保護具の操作から片手の追随を無用にして溶接時の安全性と精度を確保しながら大幅な作業コストの低減と溶接精度の向上及び作業効率の向上を図っている。
【０００７】
本発明による取付用防護具は、上記の防護具付溶接トーチに装備するものであって、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される操作器具から構成し、各関節部を調整して被遮蔽位置から随意の形態で外して置いた防護具をトーチ作動スイッチの操作に連動させて操作器具と連結部材とで溶接作業時の被遮蔽位置に移動させることを特徴としており、保護具の操作から片手を開放させて、溶接時の安全性と精度を確保しながら大幅な作業コストの低減と溶接精度の向上及び作業効率を向上させている。
【０００８】
【発明の実施の形態】
本発明による防護具付溶接トーチは、トーチ本体とトーチ本体に接続して成るトーチ作動スイッチから成る溶接トーチであって、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される防護具の操作器具から構成され、各関節部を調整して被遮蔽位置から随意の形態に外して置いた防護具をトーチ作動スイッチの操作に連動させて操作器具と連結部材とで溶接作業時の被遮蔽位置に移動させることを特徴にしている。
【０００９】
以下に、本発明による防護具付溶接トーチの実施の形態を図面に基づいて詳細に説明する。
【００１０】
図１は、本発明による防護具付溶接トーチの一実施の形態における斜視図であり、溶接前の準備段階と溶接作業時における防護具の移行状態を示している。
【００１１】
図において、１はトーチ本体、２は取付用防護具であり、３は溶接トーチの作動スイッチである。取付用防護具２は、トーチ本体１の近傍にあって作動スイッチ３に隣接している位置に装備されており、本実施の形態では溶接トーチのトーチ本体１に接続している電力線４に取付けバンド等で固着されている。
【００１２】
取付用防護具２は、溶接トーチの作動スイッチ３に連動されている。溶接作業前の準備段階では、遮光ガラスから成る防護具が、溶接トーチの溶接棒供給口から離れた位置に置かれており、溶接面や溶接棒供給口を直接観察出来るように構成されている。
【００１３】
しかるに、溶接作業に入るために、トーチ本体１の溶接棒を溶接面の正規の位置に設定して、アークを発生させるべく溶接トーチの作動スイッチ３を押圧する時には、取付用防護具２の防護具が鎖線で示すように、溶接面のアーク等を遮蔽できる位置に移行されるものであり、精巧な溶接を安全に施工できるものである。
【００１４】
以上のように、本発明による防護具付溶接トーチでは、片手の操作で溶接トーチを扱えるものであり、他方の開放されている手を自由に扱うことによって、溶接時の安全性と精度が確保されると共に作業効率の向上を図ることができる。
次に、本発明による取付用防護具について説明する。
【００１５】
本発明による取付用防護具は、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される操作器具から構成し、各関節部を調整して被遮蔽位置から随意の形態で外して置いた防護具をトーチ作動スイッチの操作に連動させて操作器具と連結部材とで溶接作業時の被遮蔽位置に移動させることから構成されており、トーチ本体に取付けてトーチ作動スイッチと連動させて、溶接作業時にあっては防護具を溶接面のアーク等を遮蔽できる位置に移行させている。
【００１６】
以下に、本発明による取付用防護具の実施の形態を図面に基づいて詳細に説明する。
【００１７】
図２、３は、本発明による取付用防護具の実施の形態における正面図と側面図であり、取付用防護具１０は、図示のように、連結部材１１、防護具１２及び操作器具１３から構成されている。
【００１８】
連結部材１１は、図２に示すように防護具１２と操作器具１３とを相互に接合することで、一体の作動体として構成している。主軸１５を構成している丸棒の一端は、トーチ本体に装備される軸受け部材１６に軸支されている。軸受け部材１６には、図３の側面図に見られるように、トーチ本体に接続している電力線に取付用防護具１０を固着するために、取付けバンド等と係合させるための突出部１７を設けてあり、その内部には、主軸１５を図示の位置に保持しておくためにつる巻きばねが内蔵されている。
【００１９】
つる巻きばねは、一端を主軸１５に固定すると共に、他端は軸受け部材１６に固定しているので、つる巻きばねが絞られる方向に主軸１５を回動しても、その駆動力から開放されると、ばね力によって図示の位置に再び戻ってくるものである。
【００２０】
主軸１５の中間部位には関節部１８が配置されており、関節部１８は、ボールジョイント１９を両端に備えていることで、ボールジョイント１９のそれぞれに接続されている両側の主軸１５は、図２に鎖線で図示のように、上下左右に回動自在の状態で連結されている。
【００２１】
又、主軸１５の他端にも、防護具１２との間に設置されるボールジョイント１９が固着されており、関節部１８を設けた主軸１５と防護具１２とを、図２に鎖線で図示のように適宜に移動変形させることによって、防護具１２の向きやその設置位置を任意の形態に選択することが出来る。
【００２２】
一方、防護具１２は、溶接を精巧かつ安全に施工するために溶接面のアーク等を遮蔽できる遮光ガラスもしくは金属板２０から構成されており、ボールジョイント１９の働きによって主軸１５との相対位置を任意に変えると共にその位置を適宜に設定することが出来る。
【００２３】
そして、操作器具１３は、防護具１２をトーチ先端の被遮蔽位置に移動させるために、トーチの作動スイッチに連動させるように連結部材１１に結合している。
【００２４】
即ち、連結部材１１の主軸１５である丸棒の一端は、前述のように軸受け部材１６に軸支されているが、軸受け部材１６の中間部には、切り欠き部２１が設けられていることから、軸支されている主軸１５の丸棒は、その切り欠き部２１から露出される状態にある。
【００２５】
しかるに、操作器具１３は、トーチの作動スイッチに連動させるための接触部２２と円筒部２３とから構成されており、接触部２２と円筒部２３は一体化している。
【００２６】
そして、円筒部２３は、主軸１５に係合固定されると共に図２に示すように切り欠き部２１に遊嵌しているので、操作器具１３は、接触部２２の押圧によって主軸１５を回動させることになり、同時に防護具１２を所定の位置に移行させることになる。
【００２７】
従って、取付用防護具１０は、主軸１５の関節部１８と防護具１２との適宜な移動変形によって、防護具１２の向きやその設置位置を任意に選択しておくことで、トーチの作動スイッチを操作するタイミングに連動させながら、防護具１２を溶接面のアーク等を遮蔽できる位置に容易に移行させることが出来る。
【００２８】
本発明による防護具付溶接トーチ及び取付用防護具は、以上のように構成されているので、保護具の操作に片手の追随を無用にすることによって溶接時における安全性と精度を確保しながら作業効率の向上を図ることができている。
【００２９】
以上、本発明を実施の形態に基づいて詳細に説明してきたが、本発明は、上記実施の形態に何ら限定されるものでなく、アーチ本体、その作動スイッチ、防護具の取付け形態、連結部材、防護具及び操作器具等の具体的な構造に関して、本発明の趣旨を逸脱しない範囲において、出願時において既に公知のものを適用することによる種々の変更が可能であることは、当然のことである。
【００３０】
【発明の効果】
本発明による防護具付溶接トーチは、トーチ本体とトーチ本体に接続して成るトーチ作動スイッチから成る溶接トーチであって、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される防護具の操作器具から構成され、各関節部を調整して被遮蔽位置から随意の形態に外して置いた防護具をトーチ作動スイッチの操作に連動させて操作器具と連結部材とで溶接作業時の被遮蔽位置に移動させることを特徴としており、保護具の操作から片手の追随を無用にして溶接時の安全性と精度を確保しながら、大幅な作業コストの低減と溶接精度の向上及び作業効率の向上を図っている。
【００３１】
又、本発明による取付用防護具は、上記の防護具付溶接トーチに装備するものであって、トーチ本体の近傍に軸受け部材に軸支して装備され回動自在な複数の関節部を備えて成る連結部材、連結部材の先端に関節部を介して支持される防護具及び上記軸受け部材において連結部材と直交形状に突出して設備される操作器具から構成し、各関節部を調整して被遮蔽位置から随意の形態で外して置いた防護具をトーチ作動スイッチの操作に連動させて操作器具と連結部材とで溶接作業時の被遮蔽位置に移動させることを特徴としており、保護具の操作から片手を開放させて、溶接時の安全性と精度を確保しながら、防護具を位置設定するための操作を容易にし、取付用防護具とトーチの作動スイッチとを円滑に連動させて溶接時における防護具の移動を容易にすることで、大幅な作業コストの低減と溶接精度の向上及び
作業効率を向上させている。
【図面の簡単な説明】
【  図１】本発明による防護具付溶接トーチにおける実施の形態の斜視図
【  図２】本発明による取付用防護具における実施の形態の正面図
【  図３】本発明による取付用防護具における実施の形態の側面図
【符号の説明】
１  トーチ本体、  ２  取付用防護具、  ３  溶接トーチの作動スイッチ、
４  電力線、  １０  取付用防護具、  １１  連結部材、  １２  防護具、
１３  操作器具、  １５  主軸、  １６  軸受け部材、  １７  突出部、
１８  関節部、  １９  ボールジョイント、  ２０  遮光ガラか金属板、
２１  切り欠き部、  ２２  接触部、  ２３  円筒部、
【図１】
0003827206.tif 000002
【図２】
0003827206.tif 000003
【図３】
0003827206.tif 000004